(57)【特許請求の範囲】
【請求項１】
遊技盤に変位自在に設けられる可動体と、
前記可動体に向けて電力を無線で供給する電力供給手段と、
を備え、
前記可動体は、
前記電力供給手段から供給される電力を無線で受け取る電力受取手段と、
前記電力受取手段によって受け取られた電力に基づいて動作する負荷部材と、
を備えると共に、前記遊技盤の盤面と直交する方向を前後方向としたときに、前記前後方向に変位自在に構成され、前記電力受取手段が前記電力供給手段の前方側に対向位置するように前記遊技盤に設けられることを特徴とする遊技機。
【請求項２】
前記電力供給手段は、共鳴誘導によって前記電力受取手段に電力を供給することを特徴とする請求項１に記載の遊技機。
【請求項３】
前記電力受取手段は前記遊技盤の前記盤面から離間した位置に配置されることを特徴とする請求項１又は請求項２に記載の遊技機。
【請求項４】
前記電力受取手段は、渦巻状のコイルパターンが形成されたプリント配線基板によって構成されることを特徴とする請求項１から請求項３のいずれか一項に記載の遊技機。
【請求項５】
前記電力受取手段は、渦巻状のコイルパターンが形成された複数の前記プリント配線基板が前記遊技盤の盤面に直交する方向で積層される構成であることを特徴とする請求項４に記載の遊技機。
【請求項６】
前記可動体は、
前記可動体における所定の１又は複数の方向の加速度を検出可能な加速度センサと、
前記加速度センサによる前記所定の１又は複数方向の加速度の検出結果に基づき、前記負荷部材の動作を制御する制御部と、
を備えることを特徴とする請求項１から請求項５のいずれか一項に記載の遊技機。
【請求項７】
前記負荷部材は、前記可動体の外部に向けて光を照射する光源として構成され、
前記制御部は、前記光源からの光の照射状態を、前記加速度センサによる前記所定の１又は複数方向の加速度の検出結果に応じた状態に制御することを特徴とする請求項６に記載の遊技機。
【請求項８】
前記可動体は、前記遊技盤の前記盤面に略直交する方向に沿った回動軸を中心に回動自在に構成され、
前記電力供給手段は、通電可能に構成された供給側コイルを備え、
前記電力受取手段は、通電可能に構成された受取側コイルを備え、
前記供給側コイルの中心及び前記受取側コイルの中心は、前記可動体の前記回動軸に沿った回動軸線上に位置することを特徴とする請求項１から請求項７のいずれか一項に記載の遊技機。
【請求項９】
前記電力受取手段を後方に投影してなる投影部の形状の外縁は、前記電力供給手段の形状の外縁と前記前後方向で重なることを特徴とする請求項１から請求項８のいずれか一項に記載の遊技機。
【請求項１０】
前記電力供給手段は、通電可能に構成された供給側コイルを備え、
前記電力受取手段は、通電可能に構成された受取側コイルを備え、
前記受取側コイルの移動軌跡を後方に投影してなる投影部の形状の外縁は、前記供給側コイルの外周よりも内側に位置することを特徴とする請求項１から請求項８のいずれか一項に記載の遊技機。
【発明の詳細な説明】
【技術分野】
【０００１】
本発明は、遊技機に関するものである。
【背景技術】
【０００２】
従来より、ぱちんこ機などの遊技機には、遊技盤の盤面に役物・風車などの可動部品が設けられ、遊技者の興趣を高める構成となっている。そして、このような可動部品に電力で動作する照明光源などの負荷部材を組み付けることで、遊技時の演出効果を高める構成が用いられている。また、照明光源などの負荷部材には電力供給用の配線を介して電力が供給される構成となっている。
【先行技術文献】
【特許文献】
【０００３】
【特許文献１】特許第５０３０２５８号公報
【特許文献２】特開２００６−３４３４８号公報
【発明の概要】
【発明が解決しようとする課題】
【０００４】
しかしながら、従来の可動部品の構成では、照明光源などの負荷部材に接続される配線が、可動部品の回動などの変位によって捩れたり引っ張られたりして断線し易くなるため、可動部品の可動範囲が制限される問題があった。
【０００５】
例えば、このような問題を解消する構成として、特許文献１のような技術を用いることが考えられる。特許文献１で開示される遊技機では、遊技盤Ａに設けられる回転構造を含んだ右側サイドランプ１Ｒは、複数のＬＥＤ２０ｂが実装された発光制御基板２０と、スリップリング１０と、電動モータ２、とを備えている。そして、発光制御基板２０に装着される回転軸１１は、電力の供給元となるスリップリング１０のブラシ体１４と摺動接触する複数の環状の集電環１２が形成され、この集電環１２から発光制御基板２０に電力が供給される構成である。
しかしながら、特許文献１のような構成では、発光制御基板２０が大型化するような場合でも、集電環１２を常にブラシ体１４に接触させておく必要があり、例えば集電環１２を複数設けて対応するなどの方法が考えられるが、装置の大型化及び製造コストの増大が懸念される。
【０００６】
また、特許文献２に開示されるパチンコ機１では、遊技盤７は、主制御基板３１などが設けられた円形の回動部７ａと、この回動部７ａの外周に位置する固定部７ｂと、から構成されている。そして、パチンコ機１の本体側に設けられた送信部６０ａから、この送信部６０ａと盤面に平行な方向で対向するように回動部７ａに設けられた受信部６０ｂへと電磁誘導によって電力を供給する構成となっている。しかしながら、このパチンコ機１では、受信部６０ｂがその可動範囲において送信部６０ａと近接状態で対向する構成であり、良好な電力供給を行うためには回動部７ａの回動範囲が制限され、回動部７ａの設計の自由度も低くなってしまう。
【０００７】
本発明は、上述した課題を解決するためになされたものであり、電力供給用の配線を設けず、且つ可動体の設計の自由度を高める構成を提供することを目的とする。
【課題を解決するための手段】
【０００８】
本発明の遊技機は、
遊技盤に変位自在に設けられる可動体と、
前記可動体に向けて電力を無線で供給する電力供給手段と、
を備え、
前記可動体は、
前記電力供給手段から供給される電力を無線で受け取る電力受取手段と、
前記電力受取手段によって受け取られた電力に基づいて動作する負荷部材と、
を備えると共に、前記遊技盤の盤面と直交する方向を前後方向としたときに、前記前後方向に変位自在に構成され、前記電力受取手段が前記電力供給手段の前方側に対向位置するように前記遊技盤に設けられることを特徴とする。
【発明の効果】
【０００９】
本発明の遊技機において、遊技盤に設けられる可動体が、電力受取手段によって無線で電力を受け取る構成であるため、可動体に接続される電力供給用の配線が不要となる。そのため、可動体の変位によって電力供給用の配線における捩れや断線などの懸念が生じなくなる。さらに、可動体は、電力受取手段が電力供給手段の前方側に対向位置するように遊技盤に設けられる構成であるため、当該可動体が遊技盤の盤面に平行な方向で電力供給手段と干渉する虞がない。そのため、可動体における遊技盤の盤面に平行な方向での可動範囲が電力供給手段によって制限されることがなく、可動体の設計の自由度を高めることができる。
また、可動体を、前後方向に変位自在にする構成では、可動体が変位する際に遊技盤に設けられる他の部品と干渉し難くなり、遊技盤の盤面に平行な方向の移動範囲が小さく、他の部品の配置スペースを確保し易くなる。
【００１０】
また、本発明において、電力供給手段は、共鳴誘導によって電力受取手段に電力を供給する構成としてもよい。
この構成では、電磁誘導方式を用いて電力を供給する構成と比べて、電力受取手段に対する電力供給手段からの電力の伝送距離を長くすることができる。そのため、電力供給手段の配置に対してより離間した位置にも可動体を配置し易くなり、可動体の配置及び設計の自由度を高めることができる。
【００１１】
また、本発明において、電力受取手段は遊技盤の盤面から離間した位置に配置されてもよい。
この構成では、電力受取手段と遊技盤との間のスペースにも可動体の一部または全部を配置させることが可能となり、可動体の設計の自由度を高めることができる。
【００１２】
また、本発明において、電力受取手段は、渦巻状のコイルパターンが形成されたプリント配線基板によって構成されていてもよい。
この構成では、電力受取手段を薄型化することで可動体をコンパクトに構成することができ、可動体の設計の自由度を高めることができる。
【００１３】
また、本発明において、電力受取手段は、渦巻状のコイルパターンが形成された複数のプリント配線基板が遊技盤の盤面に直交する方向で積層される構成としてもよい。
この構成では、複数のプリント配線基板を用いることで、可動体の大型化を抑制しつつ、電力受取手段の電力の受け取り効率を向上させることができる。そのため、電力受取手段に対する電力供給手段からの電力の伝送距離を長くすることができ、電力供給手段の配置に対してより離間した位置にも可動体を配置し易くなり、可動体の配置及び設計の自由度を高めることができる。
【００１４】
また、本発明において、可動体は、可動体における所定の１又は複数の方向の加速度を検出可能な加速度センサと、加速度センサによる所定の１又は複数方向の加速度の検出結果に基づき、負荷部材の動作を制御する制御部と、を備える構成としてもよい。
この構成では、可動体の動きを加速度センサによって検出することができる。そして、負荷部材を可動体の動きと連動させて動作させることができ、遊技機の演出効果を高めることができる。
【００１５】
また、本発明において、負荷部材は、可動体の外部に向けて光を照射する光源として構成され、制御部は、光源からの光の照射状態を、加速度センサによる所定の１又は複数方向の加速度の検出結果に応じた状態に制御する構成としてもよい。
この構成では、光源を可動体の動きと連動させた照射状態とすることができ、可動体が自身の動きに応じた光を照射することで、当該可動体の動きを効果的に演出することができる。
【００１６】
また、本発明において、可動体は、遊技盤の盤面に略直交する方向に沿った回動軸を中心に回動自在に構成され、電力供給手段は、通電可能に構成された供給側コイルを備え、電力受取手段は、通電可能に構成された受取側コイルを備え、供給側コイルの中心及び受取側コイルの中心は、可動体の回動軸に沿った回動軸線上に位置する構成としてもよい。
この構成では、可動体が回動軸を中心に回動する際に、遊技盤の盤面に略直交する方向で供給側コイルと受取側コイルとが重なり続けるため、電力供給手段から電力受取手段へ安定的に電力を供給し易くなる。また、供給側コイルの中心が可動体の回動軸に沿った回動軸線上に位置することで、可動体の回動時に受取側コイルの位置変化を抑えることができ、受取側コイルの変位状態を考慮することなく可動体の設計自由度を高めることができる。
【００１８】
また、本発明において、電力受取手段を後方に投影してなる投影部の形状の外縁は、電力供給手段の形状の外縁と前後方向で重なる構成としてもよい。
この構成では、電力受取手段と電力供給手段とが前後方向で重なり易い構成となり、電力供給手段から電力受取手段への電力の受け渡しを効率的に行い易くなる。
【００１９】
また、本発明において、電力供給手段は、通電可能に構成された供給側コイルを備え、電力受取手段は、通電可能に構成された受取側コイルを備え、受取側コイルの移動軌跡を後方に投影してなる投影部の形状の外縁は、供給側コイルの外周よりも内側に位置するように構成してもよい。
この構成では、前後方向から見て、受取側コイルが常に供給側コイルの内側に位置することとなり、受取側コイルは、変位する際にも供給側コイルから安定して電力を受け続けることができる。
【図面の簡単な説明】
【００２０】
【図１】図１は、本発明の第１実施形態に係る第１回動体及び第２回動体を備えた遊技機を例示する正面図である。
【図２】図２は、図１の遊技機が備える第１回動体を例示する側面図である。
【図３】図３は、図２の第１回動体の正面図である。
【図４】図４は、図３の第１回動体において、第１受取コイルを透過して示す図である。
【図５】図５は、本発明の第１実施形態に係る第１送電部を例示する正面図である。
【図６】図６は、本発明の第１実施形態に係る送電回路の回路図である。
【図７】図７（Ａ）は、本発明の第１実施形態に係る受電回路の回路図であり、図７（Ｂ）は、本発明の第１実施形態に係る演出回路の回路図である。
【図８】図８（Ａ）は、図１の第２回動体の背面図であり、図８（Ｂ）は、本発明の第１実施形態に係る第２送電部を例示する正面図である。
【発明を実施するための形態】
【００２１】
[第１実施形態]
以下、本発明に係る遊技機１を具現化した第１実施形態について、図面を参照して説明する。
（遊技機の構成）
図１を参照して遊技機１の構成を概説する。図１に示す遊技機１は、いわゆるパチンコ機として構成されるものであり、枠状に形成された外枠２の前面側の一側に遊技盤１０が装着される内枠（図示略）がヒンジ２ａ，２ａを介して前面側に向かって片開き可能に軸支されている。そして、その内枠の前面側の一側に遊技盤１０を視認可能とする窓部４ａが形成された前面枠４が開閉自在に取り付けられている。なお、前面枠４の窓部４ａには、遊技盤１０とほぼ平行にガラス板などによって構成された透明板４ｂが設けられ、当該透明板４ｂを介して遊技盤１０を視認し得るようになっている。また、遊技盤１０の盤面（前面）１０ａには、発射装置（図示略）より発射された遊技球Ｂを誘導する外側レール１１及び内側レール１２が設けられ、これら外側レール１１及び内側レール１２によって略円形状の遊技領域ＡＲが区画形成されている。そして、遊技機１は、遊技領域ＡＲ内において透明板４ｂと遊技盤１０との間を遊技球Ｂが流下するように構成されている。
【００２２】
なお、本明細書において、「前後方向」とは、遊技盤１０の盤面（前面）１０ａと直交する方向を意味し、盤面（前面）１０ａに対し遊技者が位置するべき側を前方側、それとは反対側（即ち、遊技機１奥側）を後方側とする。また、「上下方向」とは、遊技盤１０の盤面（前面）１０ａと平行で遊技領域ＡＲを遊技球Ｂが流下する方向（鉛直方向）を意味する。また、「左右方向」とは、上記「前後方向」及び「上下方向」と直交する方向を意味、遊技機１の前方側に位置する遊技者の左手側が左側、それとは反対側を右側とする。
【００２３】
また、図１に示すように、遊技盤１０の中央付近には、各種表示を行い得る液晶表示部１４が配置され、この液晶表示部１４の左下方及び右下方には、それぞれ遊技機用風車として機能する本発明に係る第１回動体２０が配置されている。また、遊技盤１０には、液晶表示部１４を囲むように演出部品として機能する本発明に係る第２回動体５０が配置されている。なお、第１回動体２０及び第２回動体５０は、それぞれ本発明の「可動体」の一例に相当する。さらに、第２回動体５０の下方には、遊技球Ｂの入賞に基づき液晶表示部１４の図柄を変動させる始動入賞口１６、及び液晶表示部１４の変動結果によって遊技球Ｂを受け入れる大入賞口１８が配置されている。
【００２４】
また、遊技盤１０の後面には、遊技盤１０を介して第１回動体２０と前後方向で重なる位置に、第１送電部３０が設けられている。なお、第１送電部３０は、本発明の「電力供給手段」の一例に相当する。そして、第１送電部３０は、共鳴誘導によって第１回動体２０に電力を供給し、当該第１回動体２０は、第１送電部３０から受け取った電力に基づいて動作を行うようになっている。また、遊技盤１０の後面には、遊技盤１０を介して第２回動体５０と前後方向で重なる位置に、第２送電部６０が設けられている。そして、第２送電部６０は、共鳴誘導によって第２回動体５０に電力を供給し、当該第２回動体５０は、第２送電部６０から受け取った電力に基づいて動作を行うようになっている。
【００２５】
（第１回動体の構成）
次に、第１実施形態に係る第１回動体２０について図２〜図４を用いて説明する。
図２に示す第１回動体２０は、遊技盤１０に回動自在に設けられ、遊技領域ＡＲを流下する遊技球Ｂの流下方向を制御する遊技機用風車として機能する。すなわち、第１回動体２０は、遊技球Ｂが衝突することによって、当該遊技球Ｂの流下する方向及び速さを変化させると共に、遊技球Ｂから受ける衝撃で回動する構成である。
【００２６】
ここで、図２〜図４を参照し、第１回動体２０を構成する各部品について詳述する。
第１回動体２０は、図２に示すように、前面に各種部品が取り付けられる飾板部２１と、当該第１回動体２０の回動中心となる回動軸２９に軸支される軸筒部２２と、遊技球Ｂが接触可能な羽根部２３と、演出制御を行う回路基板２６と、を備えている。
以下、各構成要素について詳述する。
【００２７】
第１回動体２０の飾板部２１は、例えばポリカーボネート樹脂，ポリアミド樹脂等の樹脂材料によって円板状に形成され、図２に示すように、前面２１ａに回路基板２６が積層される構成となっている。また、飾板部２１は、例えば、後面２１ｂに軸筒部２２及び羽根部２３が配置されるように、これら軸筒部２２及び羽根部２３と樹脂材料によって一体に形成されている。そして、飾板部２１は、遊技盤１０の盤面（前面）１０ａ側に当該盤面（前面）１０ａと平行となるように配置され、軸筒部２２を回動軸２９に軸支することによって回動軸線Ｇ１を中心に回動する構成となっている。
【００２８】
軸筒部２２は、円柱状に形成され、飾板部２１の後面２１ｂの中心位置から当該後面２１ｂに対して垂直方向に突出する構成である。また、第１回動体２０は、軸筒部２２の軸孔に設けられる回動軸２９（例えば釘のような部材）を前面側から遊技盤１０に打ち付けることで、遊技盤１０の盤面（前面）１０ａに回動自在に軸支される構成である。
【００２９】
羽根部２３は、側面視略台形の板状に形成され、軸筒部２２の側面において、前後方向から見て軸筒部２２の周面上に等間隔で回転中心に対して放射状に突出するように複数（本実施形態では３枚）形成されている。そして、羽根部２３に、遊技領域ＡＲを流下する遊技球Ｂが接触して軸筒部２２と一体となって回動軸２９を中心に回動することで、第１回動体２０が回動する構成である。
【００３０】
また、回路基板２６は、飾板部２１と略同形の円形となっており、後述する第１送電部３０から供給される電力を共鳴誘導によって受け取る「電力受取手段」としての第１受電部２４が裏面側に設けられ、この第１受電部２４によって受け取られた電力に基づいて動作する光源２８ｃ〜２８ｈと、当該第１回動体２０における複数の方向の加速度（例えば、回動方向の加速度）を検出可能な加速度センサ２８ｂと、この加速度センサ２８ｂによる複数の方向の加速度の検出結果に基づき、光源２８ｃ〜２８ｈの動作を制御する制御部２８ａと、を前面に備えている。そして、制御部２８ａは、光源２８ｃ〜２８ｈからの光の照射状態を、加速度センサ２８ｂによる複数の方向の加速度の検出結果に応じた状態に制御するように機能する。なお、光源２８ｃ〜２８ｈ、制御部２８ａ、加速度センサ２８ｂは、本発明の「負荷部材」の一例に相当する。
【００３１】
また、回路基板２６は、例えばポリイミドやポリエステル等のフィルムで形成された基材上に銅箔の配線パターンが形成され、表面保護用の絶縁フィルムで被覆されたフレキシブル配線基板として構成されている。また、回路基板２６は、図２〜図４に示すように、円板状に形成され、前面側に各種電子部品が搭載される構成となっている。例えば、回路基板２６上には、図２、図３に示すように、後述する制御部２８ａ、加速度センサ２８ｂ、光源２８ｃ〜２８ｈ、コンデンサ２７ａ，２７ｆ，２７ｇ，２７ｉ，２８ｒ、ダイオード２７ｃ，２７ｄ、レギュレータ２７ｅ、抵抗２８ｉ，２８ｊ，２８ｋ，２８ｍ，２８ｎ，２８ｐ，２８ｑ，２８ｓ，２８ｔ，２８ｕ，２８ｖなどが搭載されている。また、回路基板２６に搭載されるこれら電子部品は、第１回動体２０の重心が軸心上（回動軸線Ｇ１上）に位置するようにバランスを考慮して配置され、当該第１回動体２０が円滑に回転するようになっている。具体的には、制御部２８ａは、回路基板２６上の中心（回動軸線Ｇ１上）に配置され、光源２８ｃ〜２８ｈが制御部２８ａの周縁にそれぞれ所定の間隔をおいて配置されている。そして、回路基板２６は、第１受電部２４によって受け取られた電力に基づいて所定の電圧を作り出す受電回路２７と、受電回路２７によって生成された電圧に基づいて動作する演出回路２８と、を備えている。
【００３２】
第１受電部２４は、図４に示すような渦巻状のコイルパターンを備え、飾板部２１の前面２１ａを覆うように配置されている。そして、第１受電部２４は、第１送電部３０から供給される電力を共鳴誘導で受け取る構成である。また、第１受電部２４は、例えばセラミック材によって円板状に形成されコイルパターンのプリント配線が形成される基板２４ａ（図２参照）と、当該コイルパターンとして構成される通電可能な第１受取コイル２５（図４参照）と、を備えている。なお、第１受取コイル２５は、本発明の「受取側コイル」の一例に相当し、第１受取コイル２５がコイルパターンとして形成された基板２４ａは、本発明の「プリント配線基板」の一例に相当する。また、図４では、第１受取コイル２５は、一部が回路基板２６を透過するように示されているが、後述する図５の第１供給コイル３２と同様に、基板２４ａの後面において連続した渦巻状のコイルパターンとして構成されている。より具体的には、第１受取コイル２５を構成するコイルパターンは、全体がリング形状となっており、最内周の巻線がコイルの一端を有し、コイルの他端は当該リング形状の外周付近に配置されている。
【００３３】
また、第１回動体２０は、第１受電部２４が第１送電部３０の前方側に重なるように遊技盤１０に設けられる構成である。より具体的には、第１回動体２０は、第１受電部２４が遊技盤１０を介して第１送電部３０の前方側に対向位置するように、遊技盤１０に設けられている。なお、第１受電部２４と第１送電部３０とは、３０〜４０ｍｍ程度離間して配置される。そして、第１受電部２４を後方に投影してなる投影部の形状の外縁は、第１送電部３０の形状の外縁と前後方向で重なるようになっている。また、第１受電部２４の第１受取コイル２５を後方に投影してなる投影部の形状は、第１回動体２０が回転しても第１送電部３０の第１供給コイル３２の形状と前後方向で重なるような構成となっている。このような構成によって、第１送電部３０の第１供給コイル３２から生じる磁束が、第１受電部２４の第１受取コイル２５を前後方向に貫きやすくなり、第１送電部３０から第１受電部２４へ電力伝送の効率を高めることができる。
【００３４】
また、第１回動体２０は、第１受電部２４が遊技盤１０の盤面（前面）１０ａから離間して配置されるように、当該遊技盤１０に設けられる構成である。すなわち、第１回動体２０は、遊技盤１０の盤面（前面）１０ａに対して軸筒部２２及び飾板部２１を介して第１受電部２４が前方に配置されるように遊技盤１０に取り付けられている。
また、第１受取コイル２５の中心（渦巻き状のパターンの中心）は、図４に示すように、第１回動体２０の回動軸２９に沿った回動軸線Ｇ１上に位置する構成となっている。すなわち、第１受取コイル２５は、当該第１受取コイル２５の中心（渦巻き状のパターンの中心）を軸として回動する構成となっている。
【００３５】
（第１送電部の構成）
次に、第１実施形態に係る第１送電部３０について図５を用いて説明する。
第１送電部３０は、図５に示すように、通電可能な渦巻状のコイルパターンを備え、遊技盤１０の後面において第１回動体２０と前後方向で重なる位置に設けられている。そして、第１送電部３０は、第１回動体２０に向けて電力を共鳴誘導で供給する構成となっている。また、第１送電部３０は、例えばセラミック材によって円板状に形成されコイルパターンが形成される基板３０ａと、当該コイルパターンとして構成される第１供給コイル３２と、第１回動体２０の受電回路２７と共鳴誘導を行う送電回路４０と、を備えている。なお、基板３０ａは、第１受電部２４の基板２４ａと同様にプリント配線基板として構成されている。また、第１供給コイル３２は、本発明の「供給側コイル」の一例に相当する。また、第１供給コイル３２は、第１受取コイル２５と同じコイルパターンで形成され、基板３０ａの前面において連続した渦巻状のコイルパターンとして構成されている。具体的には、第１供給コイル３２を構成するコイルパターンは、全体がリング形状となっており、最内周の巻線がコイルの一端を有し、コイルの他端は当該リング形状の外周付近に配置されている。
【００３６】
また、第１供給コイル３２の中心（渦巻き状のパターンの中心）は、第１回動体２０の回動軸２９に沿った回動軸線Ｇ１（図２〜図４参照）上に位置する構成となっている。また、上述したように、第１受取コイル２５は、当該第１受取コイル２５の中心（渦巻き状のパターンの中心）を軸として回動する構成となっているため、第１回動体２０が回動している時にも、常に第１供給コイル３２と第１受取コイル２５が前後方向で重なる構成であり、第１送電部３０から第１受電部２４に安定して電力を供給し易くなる。
【００３７】
（送電回路の構成）
次に、第１実施形態に係る第１送電部３０が備える送電回路４０について、図６を用いて説明する。
送電回路４０は、例えば、図６に示すように、発振回路４１と、遅延回路４２と、ドライブ回路４３と、電圧生成回路４４と、出力回路４５と、を備えている。以下、各構成要素について説明する。
【００３８】
発振回路４１は、セラミック発振子４１ａを備え、このセラミック発振子４１ａに抵抗４１ｃを介してインバータ４１ｂ及び抵抗４１ｄがそれぞれ並列に接続されている。このセラミック発振子４１ａとインバータ４１ｂによって例えば８ＭＨｚの発振信号を発生させる構成となっている。また、インバータ４１ｂの出力端子はインバータ４１ｅの入力端子と接続され、このインバータ４１ｅの出力端子はフリップフロップ回路４１ｆのクロック入力端子に接続されている。また、フリップフロップ回路４１ｆ及びフリップフロップ回路４１ｇのクリア入力端子と、フリップフロップ回路４１ｆ及びフリップフロップ回路４１ｇのプリセット入力端子には、後述する電圧生成回路４４によって生成された５Ｖ電圧が入力されるようになっている。このフリップフロップ回路４１ｆ及びフリップフロップ回路４１ｇによって、セラミック発振子４１ａ等によって発生させた発振信号を例えば４ＭＨｚに分周変換する構成となっている。
【００３９】
遅延回路４２は、フリップフロップ回路４１ｆからの出力信号が入力されるようになっており、インバータ４２ａの入力端子にフリップフロップ回路４１ｆの反転出力信号が入力され、インバータ４２ｄの入力端子にフリップフロップ回路４１ｆの正出力信号が入力される構成となっている。インバータ４２ａ，４２ｄの出力は、それぞれ抵抗４２ｂとコンデンサ４２ｃとによって構成されるＲＣ回路と、抵抗４２ｅとコンデンサ４２ｆとによって構成されるＲＣ回路に入力される構成である。これらインバータ４２ａ，４２ｄと各ＲＣ回路によって、発振回路４１から出力される信号に対してデッドタイムを生成する。また、発振信号にデッドタイムを生成した後、ＡＮＤ回路４２ｇ〜４２ｊによって信号波形を整形する構成となっている。
【００４０】
ドライブ回路４３は、遅延回路４２から出力された信号に基づいて、ＭＯＳＦＥＴ４５ａ，４５ｂをそれぞれスイッチング駆動するための安定した信号を生成するように機能する。また、ドライブ回路４３は、ＡＮＤ回路４２ｉ，４２ｊから出力される電力信号を、それぞれインバータ４３ａ〜４３ｃ、インバータ４３ｊ，４３ｋ，４３ｍによって増幅する構成となっている。また、インバータ４３ａ〜４３ｃからの出力信号は、抵抗４３ｄ及びＣＭＯＳ回路４３ｅを介して、ダイオード４３ｇ、抵抗４３ｈ，４３ｉによって構成される放電回路に入力される。この放電回路は、ＭＯＳＦＥＴ４５ｂのターンオフ時におけるゲートの電荷を放電し、ＭＯＳＦＥＴ４５ｂのスイッチング特性を向上させるように機能する。同様に、インバータ４３ｊ，４３ｋ，４３ｍからの出力信号は、抵抗４３ｎ及びＣＭＯＳ回路４３ｐを介して、ダイオード４３ｒ、抵抗４３ｓ，４３ｔによって構成される放電回路に入力される。
【００４１】
電圧生成回路４４では、１００Ｖ電源に接続されて１２Ｖの電圧を生成するアダプタがＤＣジャック４４ａに接続され、１２Ｖの電圧がコンデンサ４５ｅ〜４５ｇを介して出力回路４５に出力される構成となっている。また、電圧生成回路４４に入力された１２Ｖの電圧信号に基づいて、レギュレータ４４ｂ、コンデンサ４４ｃ〜４４ｊによって安定した５Ｖの電圧信号が生成される構成となっている。そして、電圧生成回路４４で生成された５Ｖの電圧信号は、上述した発振回路４１、遅延回路４２、ドライブ回路４３に出力される構成である。
【００４２】
出力回路４５では、ドライブ回路４３からの出力信号に基づいて、ＭＯＳＦＥＴ４５ａ，４５ｂが交互にオン動作及びオフ動作することになる。また、ＭＯＳＦＥＴ４５ａがオン動作する時、電流が電圧生成回路４４から、コイル４５ｈ、トランス４５ｉ、ＭＯＳＦＥＴ４５ａと流れ、トランス４５ｉの励磁インダクタンスにエネルギーを蓄えさせることになる。さらに、ＭＯＳＦＥＴ４５ａがオフ動作すると、トランス４５ｉに蓄えられたエネルギーは、コンデンサ４５ｃに移動する。また、ＭＯＳＦＥＴ４５ｂがオン動作すると、同様に、トランス４５ｉにエネルギーを蓄えさせることになる。さらに、ＭＯＳＦＥＴ４５ｂがオフ動作すると、トランス４５ｉに蓄えられたエネルギーは、コンデンサ４５ｄに移動する。このように、トランス４５ｉの１次巻線における電圧は、励磁インダクタンスとコンデンサ４５ｃ，４５ｄの共振周波数で振動することになる。そして、２次巻線には、発振回路４１の発振信号の周波数（例えば４ＭＨｚ）に基づいた正弦波を発生させることになる。この正弦波出力は、抵抗４５ｎを介して、第１供給コイル３２とコンデンサ４５ｐによって構成される共振回路に入力され、第１供給コイル３２はコンデンサ４５ｐとの共振に基づく共振電流によって磁界を発生させて出力する。
【００４３】
（第１回動体の回路構成）
次に、第１実施形態に係る第１回動体２０が備える回路構成（受電回路２７、演出回路２８）について図７を用いて説明する。
第１回動体２０では、図７（Ａ）に示すように、受電回路２７のコンデンサ２７ａと、第１受取コイル２５とによって共振回路が構成されており、送電回路４０の共振回路（第１供給コイル３２とコンデンサ４５ｐによって構成される回路）との共鳴誘導によって、コンデンサ２７ａと第１受取コイル２５とが共振する。また、このような共振回路によって発生した高周波電圧（例えば５Ｖの高周波電圧）は、受電回路２７において、コンデンサ２７ｆ及びダイオード２７ｃ，２７ｄによって直流に整流変換され、レギュレータ２７ｅ及びコンデンサ２７ｇ〜２７ｉによって安定した所定の電圧信号（例えば３．３Ｖの電圧信号）を出力する構成となっている。また、後述する演出回路２８は、３．３Ｖの電源電圧によって駆動する構成となっており、５Ｖ等の高い電圧で駆動させる構成と比べて低い電圧で駆動できるため、第１送電部３０と第１受電部２４とが離間して電力伝送の効率が悪化しても、安定して動作し易くなる。なお、図中、生成された電圧信号がＤＣの記号で示す出力ラインから出力される構成である。
【００４４】
演出回路２８は、図７（Ｂ）に示すように、制御部２８ａと、加速度センサ２８ｂと、光源２８ｃ〜２８ｈと、を備えている。制御部２８ａは、マイコンを主体として構成されＣＰＵ等を有し、受電回路２７によって生成された電力を用いて動作し、加速度センサ２８ｂと各種信号の送受信を行うように構成されている。なお、図中、受電回路２７から出力された電圧信号がＤＣの記号で示す入力ラインから入力される構成である。また、制御部２８ａと加速度センサ２８ｂとの接続ライン上には、それぞれ抵抗２８ｓ〜２８ｖを介して受電回路２７からの電圧信号が入力される構成となっている。また、制御部２８ａには、例えば、抵抗２８ｑとコンデンサ２８ｒとによって構成されるリセット回路等が接続されている。また、加速度センサ２８ｂは、公知の加速度センサによって構成され、受電回路２７によって生成された電力を用いて動作し、第１回動体２０において定められた複数の方向の加速度（例えば、回動方向の加速度）を検出する構成である。また、光源２８ｃ〜２８ｈは、例えばＬＥＤとして構成され、受電回路２７によって生成された電力を用いて第１回動体２０の外部に向けて光を照射するように機能し、制御部２８ａと電気的に接続され、制御部２８ａによって動作が制御される構成となっている。なお、光源２８ｃ，２８ｅ，２８ｈは赤色の照明光を照射し、光源２８ｄ，２８ｆ，２８ｇは青色の照明光を照射する構成となっている。また、光源２８ｃ〜２８ｈは、それぞれ抵抗２８ｉ〜２８ｋ，２８ｍ，２８ｎ，２８ｐを介して受電回路２７からの電圧信号が入力される構成となっている。
【００４５】
また、加速度センサ２８ｂは、第１回動体２０の回動方向の加速度を検出する構成となっている。例えば、加速度センサ２８ｂが第１回動体２０の回動軸２９の鉛直上方に位置する時、左右方向の加速度を検出する構成であり、第１回動体２０が反時計回りに回動する場合には左方向の加速度を検出し、第１回動体２０が時計回りに回動する場合には右方向の加速度を検出することになる。なお、本明細書において、「時計回り」及び「反時計回り」とは、第１回動体２０を前方から見たときの時計回り及び反時計回りの方向である。
【００４６】
（第１回動体の動作）
次に、第１実施形態に係る第１回動体２０の動作について説明する。
遊技領域ＡＲを流下する遊技球Ｂが、静止状態の第１回動体２０の羽根部２３に衝突し、第１回動体２０が回動し始めると、加速度センサ２８ｂによって第１回動体２０の加速度が検出される。例えば、遊技球Ｂが第１回動体２０の羽根部２３に衝突し、第１回動体２０が反時計回りに回動すると、加速度センサ２８ｂによって第１回動体２０の反時計回り方向の加速度が一定時間継続して検出される。同様に、遊技球Ｂが第１回動体２０の羽根部２３に衝突し、第１回動体２０が時計回りに回動すると、加速度センサ２８ｂによって第１回動体２０の時計回り方向の加速度が一定時間継続して検出される。
【００４７】
また、加速度センサ２８ｂによって第１回動体２０の加速度が検出されると、制御部２８ａは、加速度センサ２８ｂから加速度に関する情報を取得し、当該加速度に関する情報に基づいて予め設定された制御方法で光源２８ｃ〜２８ｈの動作を制御する。例えば、加速度センサ２８ｂによって第１回動体２０の反時計回り方向の加速度が一定時間継続して検出されると、制御部２８ａは、その加速度が検出されている間に光源２８ｃ，２８ｅ，２８ｈから赤色の照明光を照射させるように制御する。一方で、加速度センサ２８ｂによって第１回動体２０の時計回り方向の加速度が一定時間継続して検出されると、制御部２８ａは、その加速度が検出されている間に光源２８ｄ，２８ｆ，２８ｇから青色の照明光を照射させるように制御する。
【００４８】
（第２回動体の構成）
次に、第１実施形態に係る第２回動体５０について図８等を用いて説明する。
図８（Ａ）に示す第２回動体５０は、遊技盤１０に回動自在に設けられ、遊技領域ＡＲ内において演出動作する可動演出装置として機能する。例えば、第２回動体５０は、液晶表示部１４の変動結果に連動して回動する構成となっている。具体的には、第２回動体５０は、第２受電部５２によって後述する第２送電部６０から供給される電力を共鳴誘導によって受け取り、この第２受電部５２によって受け取られた電力に基づいて駆動源（図示略）及び光源５８を動作させる。なお、光源５８、及び例えば回動駆動する公知のモータとして構成される駆動源は、本発明の「負荷部材」の一例に相当する。
【００４９】
ここで、図８等を参照し、第２回動体５０を構成する各部品について詳述する。
第２回動体５０は、図８（Ａ）に示すように、遊技領域ＡＲ内において回動する板部５０ａと、第２送電部６０から電力を受け取る第２受電部５２と、を備えている。なお、第２受電部５２は、本発明の「電力受取手段」の一例に相当する。
以下、各構成要素について詳述する。
【００５０】
板部５０ａは、図１に示すように、例えば樹脂材料によって前面視リング状の円板形状に形成され、前面５０ｂに光源５８が設けられて遊技者の興趣を高める構成となっている。また、遊技盤１０の盤面（前面）１０ａに板部５０ａと前面視同形状の凹部が形成され、板部５０ａがこの凹部に前方から嵌り込む構成で遊技盤１０に回転自在に支持されている。そして、板部５０ａの前面５０ｂが、遊技盤１０の盤面（前面）１０ａから遊技球Ｂ１個分程前方に突出する構成であり、第２受電部５２が、遊技盤１０の盤面（前面）１０ａから離間して配置される構成である。
【００５１】
第２受電部５２は、図８（Ａ）に示すように、渦巻状のコイルパターンを備え、板部５０ａの後面５０ｃにおいて回動軸線Ｇ２を中心とする円周上に沿って等間隔に複数（本実施形態では６つ）設けられている。また、第２受電部５２は、第２送電部６０に対して遊技盤１０及び液晶表示部１４を介して設けられている。そして、第２受電部５２は、第２送電部６０から供給される電力を共鳴誘導で受け取り、駆動源の駆動制御を行う構成である。具体的には、第２受電部５２は、例えばセラミック材によって円板状に形成されコイルパターンのプリント配線が形成される基板５２ａと、当該コイルパターンとして構成される通電可能な第２受取コイル５２ｂと、各種演出制御を行う回路基板（図示略）と、を備えている。なお、第２受取コイル５２ｂは、本発明の「受取側コイル」の一例に相当し、第２受取コイル５２ｂがコイルパターンとして形成された基板５２ａは、本発明の「プリント配線基板」の一例に相当する。そして、第２受取コイル５２ｂは、基板５２ａの前面において連続した渦巻状のコイルパターンとして構成されている。より具体的には、第２受取コイル５２ｂを構成するコイルパターンは、全体がリング形状となっており、最内周の巻線がコイルの一端を有し、コイルの他端は当該リング形状の外周付近に配置されている。
【００５２】
また、回路基板（図示略）は、板部５０ａの後面５０ｃ上において各第２受電部５２の基板５２ａの前方側（図８（Ａ）では後方側）に設けられている。また、回路基板は、例えばポリイミドやポリエステル等のフィルムで形成された基材上に銅箔の配線パターンが形成され、表面保護用の絶縁フィルムで被覆されたフレキシブル配線基板として構成されている。また、回路基板は、基板５２ａと同形状の円板状に形成され、前面側（図８（Ａ）では後方側）に各種電子部品が搭載される構成となっている。例えば、回路基板は、光源５８と電気的に接続され、第１回動体２０が備える制御部２８ａ、加速度センサ２８ｂ等と同様の構成の制御部、加速度センサ等が搭載されている。そして、回路基板は、第２受電部５２によって受け取られた電力に基づいて所定の電圧を作り出す第１回動体２０の受電回路２７と同様の構成の受電回路と、受電回路によって生成された電圧に基づいて動作する第１回動体２０の演出回路２８と同様の構成の演出回路と、を備えている。
【００５３】
また、駆動源は、例えば、正逆回動駆動するモータと、このモータからの駆動力を他部材に伝達するように回転する伝達部材と、を備え、第２回動体５０の板部５０ａの後面５０ｃ上に各第２受電部５２に対応して複数（本実施形態では６つ）設けられている。そして、駆動源の動作は、回路基板が備える制御部によって制御される構成である。また、駆動源の伝達部材が遊技盤１０に形成された上記凹部に及ぼす摩擦力の反作用で第２回動体５０が回動することになる。
【００５４】
また、第２回動体５０は、第１回動体２０の制御部２８ａと同様の構成の制御部によって予め設定された制御方法で、光源５８の動作を制御する構成である。例えば、第２回動体５０が反時計回り方向に回動する場合に、所定の光源５８から照明光を照射させ、第２回動体５０が時計回り方向に回動する場合に、反時計回りの回動時に照射させる光源５８とは異なる光源５８から照明光を照射させる構成となっている。
【００５５】
また、第２回動体５０は、第２受電部５２が第２送電部６０に対向して前方側に所定の間隔離間して遊技盤１０に設けられる構成である。すなわち、第２受電部５２の外周形状を後方に投影した場合に、第２送電部６０の形状と重なるような配置状態となる。また、第２回動体５０は、第２送電部６０の第２供給コイル６２の外周（最外周の巻線）よりも内側に配置され、第２受取コイル５２ｂの移動軌跡を後方に投影してなる投影部の形状の外縁は、第２供給コイル６２の外周よりも内側に位置する構成となっている。そして、第２回動体５０が回動する際に、各第２回動体５０は、回動軸線Ｇ２を中心とする同一円周上を回動することになる。
【００５６】
なお、第２受電部５２の回路基板が備える受電回路及び演出回路の構成は、図７（Ａ）（Ｂ）に示す第１回動体２０の受電回路２７及び演出回路２８の構成と同様の構成であるため、詳細な説明は省略する。また、第１回動体２０の受電回路２７における第１受取コイル２５の代わりに第２受取コイル５２ｂを用いる構成である。
【００５７】
（第２送電部の構成）
次に、第１実施形態に係る第２送電部６０について図８（Ｂ）を用いて説明する。
第２送電部６０は、図８（Ｂ）に示すように、通電可能な渦巻状のコイルパターンを備え、遊技盤１０の後面において第２回動体５０と前後方向で重なる位置に設けられている。そして、第２送電部６０は、第２回動体５０に向けて電力を共鳴誘導で供給する構成となっている。また、第２送電部６０は、例えばセラミック材によって前面視リング状の円板形状でコイルパターンが形成される基板６０ａと、当該コイルパターンとして構成される第２供給コイル６２と、第２回動体５０の受電回路と共鳴誘導を行う第１回動体２０の送電回路４０と同様の構成の送電回路と、を備えている。なお、基板６０ａは、第２受電部５２の基板５２ａと同様にプリント配線基板として構成されている。なお、第２供給コイル６２は、本発明の「供給側コイル」の一例に相当する。また、第２供給コイル６２は、基板６０ａの前面において連続した渦巻状のコイルパターンとして構成されている。より具体的には、第２供給コイル６２を構成するコイルパターンは、全体がリング形状となっており、最内周の巻線がコイルの一端を有し、コイルの他端は当該リング形状の外周付近に配置されている。
【００５８】
また、図８（Ｂ）に示すように、第２供給コイル６２の中心（渦巻き状のパターンの中心）は、第２回動体５０の回動軸線Ｇ２（図８（Ａ）参照）上に位置する構成となっている。また、上述したように、各第２回動体５０は、前後方向から見て第２送電部６０の第２供給コイル６２の外周（最外周の巻線）よりも内側に配置される構成であると共に、回動軸線Ｇ２を中心とする同一円周上を回動する構成であるため、第２送電部６０の第２供給コイル６２から生じる磁束が、第２受電部５２の第２受取コイル５２ｂを前後方向に貫きやすくなり、第２送電部６０から第２受電部５２へ電力伝送の効率を高めることができる。
【００５９】
なお、第２送電部６０が備える送電回路の構成は、図６に示す第１回動体２０の送電回路４０の構成と略同様の構成であるため、詳細な説明は省略する。また、第１回動体２０の送電回路４０における第１供給コイル３２の代わりに第２供給コイル６２を用いる構成である。
【００６０】
（第１実施形態の主な効果）
本第１実施形態の遊技機１において、遊技盤１０に設けられる第１回動体２０が、第１受電部２４によって無線で電力を受け取る構成であるため、第１回動体２０に接続される電力供給用の配線が不要となる。そのため、第１回動体２０の変位によって電力供給用の配線における捩れや断線などの懸念が生じなくなる。さらに、第１受電部２４が前方側から第１送電部３０に重なるように遊技盤１０に設けられる構成であるため、第１回動体２０が遊技盤１０の盤面（前面）１０ａに平行な方向で第１送電部３０と干渉する虞がない。そのため、第１回動体２０における遊技盤１０の盤面（前面）１０ａに平行な方向での可動範囲が第１送電部３０によって制限されることがなく、第１回動体２０の設計の自由度を高めることができる。
【００６１】
同様に、第２回動体５０が、第２受電部５２によって無線で電力を受け取る構成であるため、第２回動体５０に接続される電力供給用の配線が不要となる。そのため、第２回動体５０の変位によって電力供給用の配線における捩れや断線などの懸念が生じなくなる。さらに、第２受電部５２が前方側から第２送電部６０に重なるように遊技盤１０に設けられる構成であるため、第２回動体５０が遊技盤１０の盤面（前面）１０ａに平行な方向で第２送電部６０と干渉する虞がない。そのため、第２回動体５０における遊技盤１０の盤面（前面）１０ａに平行な方向での可動範囲が第２送電部６０によって制限されることがなく、第２回動体５０の設計の自由度を高めることができる。
【００６２】
また、本第１実施形態において、第１送電部３０は、共鳴誘導によって第１受電部２４に電力を供給する構成である。
この構成では、電磁誘導方式を用いて電力を供給する構成と比べて、第１受電部２４に対する第１送電部３０からの電力の伝送距離を長くすることができる。そのため、第１送電部３０の配置に対してより離間した位置にも第１回動体２０を配置し易くなり、第１回動体２０の配置及び設計の自由度を高めることができる。
【００６３】
同様に、第２送電部６０は、共鳴誘導によって第２受電部５２に電力を供給する構成である。
この構成では、電磁誘導方式を用いて電力を供給する構成と比べて、第２受電部５２に対する第２送電部６０からの電力の伝送距離を長くすることができる。そのため、第２送電部６０の配置に対してより離間した位置にも第２回動体５０を配置し易くなり、第２回動体５０の配置及び設計の自由度を高めることができる。
【００６４】
また、本第１実施形態において、第１回動体２０は、第１受電部２４が遊技盤１０の盤面（前面）１０ａから離間して配置されるように遊技盤１０に設けられている。
この構成では、第１受電部２４と遊技盤１０との間のスペースを利用して、第１回動体２０を構成する飾板部２１、軸筒部２２、及び羽根部２３等を配置させることが可能となる。そのため、第１受電部２４と遊技盤１０との間のスペース（第１受電部２４の後方側のスペース）に部材を配置できない構成と比べて、第１回動体２０の設計の自由度を高めることができる。
【００６５】
同様に、第２回動体５０は、第２受電部５２が遊技盤１０の盤面（前面）１０ａから離間して配置されるように遊技盤１０に設けられている。
この構成では、遊技盤１０の盤面（前面）１０ａと第２受電部５２との間のスペースを利用して、第２回動体５０を構成する板部５０ａ等を配置させることが可能となる。そのため、遊技盤１０の盤面（前面）１０ａと第２受電部５２との間のスペース（第２受電部５２の前方側のスペース）に部材を配置できない構成と比べて、第２回動体５０の設計の自由度を高めることができる。
【００６６】
また、本第１実施形態において、第１受電部２４及び第２受電部５２は、それぞれ渦巻状のコイルパターンが形成された基板２４ａ及び基板５２ａによって構成されている。
この構成では、第１受電部２４及び第２受電部５２を薄型化することで、それぞれ第１回動体２０及び第２回動体５０をコンパクトに構成することができ、第１回動体２０及び第２回動体５０の設計の自由度を高めることができる。
【００６７】
また、本第１実施形態において、第１回動体２０は、第１回動体２０における複数の方向の加速度を検出可能な加速度センサ２８ｂと、加速度センサ２８ｂによる複数方向の加速度の検出結果に基づき、光源２８ｃ〜２８ｈの動作を制御する制御部２８ａと、を備えている。また、光源２８ｃ〜２８ｈは、第１回動体２０の外部に向けて光を照射する光源として構成され、制御部２８ａは、光源２８ｃ〜２８ｈからの光の照射状態を、加速度センサ２８ｂによる複数方向の加速度の検出結果に応じた状態に制御する構成となっている。
この構成では、第１回動体２０の動きを加速度センサ２８ｂによって検出することができる。そして、光源２８ｃ〜２８ｈを第１回動体２０の動きと連動させた照射状態とすることができ、第１回動体２０が自身の動きに応じた光を照射することで、当該第１回動体２０の動きを効果的に演出し、遊技機１の演出効果を高めることができる。
【００６８】
また、第２回動体５０も、第１回動体２０の加速度センサ２８ｂ、制御部２８ａ、及び光源２８ｃ〜２８ｈと同様の構成の加速度センサ、制御部及び光源５８を備えている。そのため、第２回動体５０の動きを加速度センサによって検出することができる。そして、光源５８を第２回動体５０の動きと連動させた照射状態とすることができ、第２回動体５０が自身の動きに応じた光を照射することで、当該第２回動体５０の動きを効果的に演出し、遊技機１の演出効果を高めることができる。
【００６９】
また、本第１実施形態において、第１回動体２０は、遊技盤１０の盤面（前面）１０ａに略直交する方向に沿った回動軸２９を中心に回動自在に構成され、第１送電部３０は、通電可能に構成された第１供給コイル３２を備え、第１受電部２４は、通電可能に構成された第１受取コイル２５を備え、第１供給コイル３２の中心及び第１受取コイル２５の中心は、第１回動体２０の回動軸２９に沿った回動軸線Ｇ１上に位置する構成となっている。
この構成では、第１回動体２０が回動軸２９を中心に回動する際に、遊技盤１０の盤面（前面）１０ａに略直交する方向で第１供給コイル３２と第１受取コイル２５とが重なり続けるため、第１送電部３０から第１受電部２４へ安定的に電力を供給し易くなる。また、第１供給コイル３２の中心が第１回動体２０の回動軸２９に沿った回動軸線Ｇ１上に位置することで、第１回動体２０の回動時に第１受取コイル２５の位置変化を抑えることができ、第１受取コイル２５の変位状態を考慮することなく第１回動体２０の設計自由度を高めることができる。
【００７０】
また、本第１実施形態において、第１受電部２４を後方に投影してなる投影部の形状の外縁は、第１送電部３０の形状の外縁と前後方向で重なる構成としてもよい。
この構成では、第１受電部２４と第１送電部３０とが前後方向で重なり易い構成となり、第１送電部３０から第１受電部２４への電力の受け渡しを効率的に行い易くなる。
【００７１】
また、本第１実施形態において、第２送電部６０は、通電可能に構成された第２供給コイル６２を備え、第２受電部５２は、通電可能に構成された第２受取コイル５２ｂを備え、第２受取コイル５２ｂの移動軌跡を後方に投影してなる投影部の形状の外縁は、第２供給コイル６２の外周よりも内側に位置する構成としてもよい。
この構成では、前後方向から見て、第２受取コイル５２ｂが常に第２供給コイル６２の内側に位置することとなり、第２受取コイル５２ｂは、変位する際にも第２供給コイル６２から安定して電力を受け続けることができる。
【００７２】
［他の実施形態]
本発明は上記記述及び図面によって説明した実施形態に限定されるものではなく、例えば次のような実施形態も本発明の技術的範囲に含まれる。
【００７３】
上記第１実施形態では、第１回動体２０において、第１受電部２４は、第１受取コイル２５が設けられる１つの基板２４ａを備える構成を例示したが、第１受取コイル２５が設けられる複数の基板を備える構成であってもよい。
例えば、第１受電部２４において、渦巻状のコイルパターンが形成された複数の基板が遊技盤１０の盤面（前面）１０ａに直交する方向で積層され、これらによって電力を受け取る構成であってもよい。このような構成では、複数設けられる基板がプリント配線基板として構成されるため、第１回動体２０の大型化を抑制しつつ、第１受電部２４の電力の受け取り効率を向上させることができる。そのため、第１受電部２４に対する第１送電部３０からの電力の伝送距離を長くすることができ、第１送電部３０の配置に対してより離間した位置にも第１回動体２０を配置し易くなり、第１回動体２０の配置及び設計の自由度を高めることができる。
また、電力の受け取る渦巻状のコイルパターンが形成された１又は複数の基板を第１回動体２０の飾板部２１の後面２１ｂにも設ける構成としてもよい。このような構成では、飾板部２１の後面２１ｂに設ける基板によっても電力を受け取ることができるため、第１回動体２０の飾板部２１の前面２１ａ側に設けられ渦巻状のコイルパターンが形成された基板を、第１送電部３０から離間させて配置させ易くなり、前方側のスペースを利用して第１回動体２０の配置及び設計の自由度をより高めることができる。
同様に、第２回動体５０においても、複数の基板５２ａを備える板部５０ａを、基板５２ａが前後方向で重なるように複数積層される構成としてもよい。
【００７４】
また、上記第１実施形態では、第１回動体２０の第１受取コイル２５が、第１供給コイル３２と同形状となる構成を例示したが、第１供給コイル３２が第１受取コイル２５よりも大径となるように構成されてもよい。このような構成によって、第１供給コイル３２に対して第１受取コイル２５が安定して電力供給を受けられる配置位置が広がり、第１回動体２０ががたついた場合でも確実な給電を行えるようになる。
【００７５】
また、上記第１実施形態において、第１回動体２０（第２回動体５０）は、遊技盤１０の盤面（前面）１０ａに略直交する方向に沿った回動軸線Ｇ１（Ｇ２）を中心に回動する構成を例示した。しかしながら、第１回動体２０（第２回動体５０）は、前後方向に変位自在に構成されてもよい。すなわち、第１回動体２０（第２回動体５０）は、第１供給コイル３２（第２供給コイル６２）が形成される基板３０ａ（基板６０ａ）の前面に直交する方向に沿って移動する構成であってもよい。このような構成では、第１回動体２０（第２回動体５０）が変位する際に遊技盤１０に設けられる他の部品と干渉し難くなり、遊技盤１０の盤面（前面）１０ａに平行な方向の移動範囲が小さく、他の部品の配置スペースを確保し易くなる。第１送電部３０（第２送電部６０）は、共鳴誘導によって第１受電部２４（第２受電部５２）に無線で電力を供給する構成であり、第１受電部２４（第２受電部５２）に対する第１送電部３０（第２送電部６０）からの電力の伝送距離を長くすることができるため、第１回動体２０（第２回動体５０）が第１送電部３０（第２送電部６０）に近づいたり離れたりする構成に有利である。
【００７６】
また、上記第１実施形態では、第１送電部３０及び第２送電部６０が遊技盤１０の後面に設けられる構成を示したが、それぞれ第１受電部２４及び第２受電部５２が前方側に重なる位置であれば、その他の配置状態で構成されてもよい。例えば、第１送電部３０（第２送電部６０）を、遊技盤１０の盤面（前面）１０ａに設ける構成や、遊技盤１０の盤面（前面）１０ａ又は後面に第１送電部３０（第２送電部６０）をはめ込み収納する凹部を形成して設ける構成であってもよい。
【００７７】
また、上記第１実施形態では、第２回動体５０の第２受電部５２が、板部５０ａの後面５０ｃに設けられる構成を示したが、第２受電部５２を、板部５０ａの前面５０ｂに設けられる構成として、コイルパターンを装飾の一部としてもよい。
【００７８】
また、上記第１実施形態では、光源２８ｃ〜２８ｈがそれぞれ赤色又は青色の照明光を照射する構成を例示したが、フルカラーＬＥＤとして構成されていてもよい。このような構成によって、光源２８ｃ〜２８ｈから照射させる照明光の色を順次変化させることができ、演出効果を一層高めることができる。なお、このような構成とする場合、受電回路２７で３．３Ｖよりも高い電圧信号を生成する構成とすることで、光源２８ｃ〜２８ｈを安定して動作させることができる。
【００７９】
また、上記第１実施形態では、第１回動体２０が反時計回り方向に回動する場合に、光源２８ｃ，２８ｅ，２８ｈから照明光を照射させ、第１回動体２０が時計回り方向に回動する場合に、光源２８ｄ，２８ｆ，２８ｇから照明光を照射させる構成を例示した。しかしながら、第１回動体２０が各回動方向に回動する場合に照射制御する光源は、光源２８ｃ〜２８ｈの中から任意に選択することができる。また、上記第１実施形態では、光源２８ｃ，２８ｅ，２８ｈから赤色の照明光を照射させ、光源２８ｄ，２８ｆ，２８ｇから青色の照明光を照射させる構成を例示したが、各光源２８ｃ〜２８ｈから照射する照明光の色はその他の色であってもよい。また、光源２８ｃ〜２８ｈの照射制御において、照明光を点滅させる構成であってもよい。
【００８０】
また、上記第１実施形態では、第１回動体２０が、加速度センサ２８ｂで検出する回動方向に基づいて光源２８ｃ〜２８ｈの動作を制御する構成を例示したが、加速度センサ２８ｂで検出する加速度の大きさに基づいて光源２８ｃ〜２８ｈの動作を制御する構成としてもよい。例えば、加速度に関する所定の第１閾値、第２閾値を予め設定しておき、加速度センサ２８ｂで検出する加速度の大きさが第１閾値を超えた場合に、光源２８ｃ，２８ｅ，２８ｈから照明光を照射させ、第２閾値を超えた場合に、光源２８ｄ，２８ｆ，２８ｇから照明光を照射させる構成としてもよい。
【００８１】
また、上記第１実施形態では、第１回動体２０の制御部２８ａは、予め設定された制御方法で光源２８ｃ〜２８ｈの動作を制御する構成を示したが、制御部２８ａが加速度センサ２８ｂによって検出された第１回動体２０の加速度に対応する制御を行う構成であれば、その他の構成であってもよい。例えば、制御部２８ａによる光源２８ｃ〜２８ｈの制御方法として、演出回路２８が公知のＲＯＭ等によって構成されるメモリを備え、当該メモリに記憶された情報に基づいて光源２８ｃ〜２８ｈを制御する構成であってもよい。すなわち、メモリに加速度の情報（例えば、光源２８ｃ〜２８ｈの照射を実行する時の第１回動体２０の加速度の値とその方向など）と光源２８ｃ〜２８ｈの制御方法とが予め対応付けて記憶されており、制御部２８ａは、取得した加速度センサ２８ｂの検出結果に対応する光源２８ｃ〜２８ｈの制御方法をメモリから読み出して実行する構成としてもよい。
【００８２】
また、上記第１実施形態において、各第１回動体２０は、それぞれ後方側に配置された第１送電部３０から電力を受け取る構成を例示したが、１つの第１送電部３０から複数の第１回動体２０に電力を供給する構成としてもよい。例えば、第２回動体５０の板部５０ａに第１回動体２０がその幅内に複数設けられるように、第１送電部３０よりもサイズの大きい第２受電部５２のような１つの第１送電部が、各第１回動体２０の第１受電部２４と前後方向で重なるように配置される構成としてもよい。すなわち、各第１回動体２０は、前後方向から見て１つの第１送電部の第１供給コイルの外周（最外周の巻線）よりも内側に配置される構成とし、この第１送電部の第１供給コイルから生じる磁束が、各第１受電部２４の第１受取コイル２５を前後方向に貫く構成である。
さらに、第２回動体５０においても、第２送電部６０から電力を受け取る構成ではなく、このような複数の第１回動体２０に電力を供給する１つの第１送電部から電力を受け取る構成としてもよい。すなわち、遊技機１に設けられるサイズの大きい１つの送電部によって、全ての回動体（複数の第１回動体２０及び第２回動体５０）に電力を供給する構成としてもよい。
【００８３】
また、上記第１実施形態の第２回動体５０において、複数の第２受電部５２が板部５０ａの後面５０ｃにおいて円周上にそれぞれ設けられる構成を示したが、１つの第２受電部が第２送電部６０と同様のコイルパターンを備える構成で板部５０ａに設けられてもよい。すなわち、板部５０ａの後面５０ｃにおいて、当該後面５０ｃのリング形状に沿って周回するコイルパターンを有する第２受取コイルが設けられる構成である。また、第２受電部の第２受取コイルを後方に投影してなる投影部の形状が、第２回動体５０が回転しても第２送電部６０の第２供給コイル６２の形状と前後方向で重なるような構成である。そして、このような１つの第２受電部が受け取った電力を各回路基板（図示略）に供給する構成となっている。  さらに、このような第２回動体５０の構成において、基板５２ａが前後方向で重なるように板部５０ａを複数積層する構成としてもよい。
【符号の説明】
【００８４】
１…遊技機
１０…遊技盤
１０ａ…盤面（前面）
２０…第１回動体（可動体）
２２…軸筒部
２４…第１受電部（電力受取手段）
２４ａ…基板（プリント配線基板）
２５…第１受取コイル（受取側コイル）
２８ａ…制御部（負荷部材）
２８ｂ…加速度センサ（負荷部材）
２８ｃ〜２８ｈ，５８…光源（負荷部材）
２９…回動軸
３０…第１送電部（電力供給手段）
３２…第１供給コイル（供給側コイル）
５０…第２回動体（可動体）
５２…第２受電部（電力受取手段）
５２ａ…基板（プリント配線基板）
５２ｂ…第２受取コイル（受取側コイル）
６０…第２送電部（電力供給手段）
６２…第２供給コイル（供給側コイル）
Ｇ１，Ｇ２…回動軸線
【図１】
0006501248.tif 000002
【図２】
0006501248.tif 000003
【図３】
0006501248.tif 000004
【図４】
0006501248.tif 000005
【図５】
0006501248.tif 000006
【図６】
0006501248.tif 000007
【図７】
0006501248.tif 000008
【図８】
0006501248.tif 000009